(57)【要約】【課題】システム内の余剰電力を最も効果的に使うエネルギー管理装置および方法を供給する。【解決手段】システムおよび装置、およびその方法は、利用可能な発生エネルギーの余剰の有無に基づいた、調整されたエネルギー負荷装置の操作設定点を変えることによる、順応性があるローカルエネルギー貯蔵能力に関するものである。【選択図】図１
2012005342.tif 000002
【特許請求の範囲】
【請求項１】
中央処理装置（ＣＰＵ）とメモリとを備えるエネルギー管理装置であって、
上記ＣＰＵは、制御信号を介して未だ連系されていない最も優先度の高いエネルギー負荷装置を連系するように、および、解除信号を介して未だ連系が解除されていない最も優先度の低いエネルギー負荷装置の連系を解除するように構成されており、
上記制御信号は、エネルギー供給レベルが計測されたエネルギー消費レベルより大きい場合、設定点の無効と設定点の変更との少なくとも一方を実施し、
上記解除信号は、エネルギー供給レベルが計測されたエネルギー消費レベルより小さい場合、無効の破棄と元の設定点への復帰との少なくとも一方を実施することを特徴とするエネルギー管理装置。
【請求項２】
上記制御信号は、調整されたエネルギー負荷装置の設定点を無効にするためのコマンドを含み、
上記解除信号は、無効にされた設定点を有する調整されたエネルギー負荷装置の設定点を復帰させるためのコマンドを含むことを特徴とする請求項１に記載の装置。
【請求項３】
上記制御信号は、調整されたエネルギー負荷装置の一つ以上の設定点を、公称値から当該調整されたエネルギー負荷装置で保存されたプリセット値へシフトさせるためのコマンドを含み、
上記解除信号は、調整されたエネルギー負荷装置のシフトされた一つ以上の設定点を上記公称値へ復帰させるためのコマンドを含むことを特徴とする請求項１に記載の装置。
【請求項４】
上記制御信号は、一つ以上の設定点の更新情報と、調整されたエネルギー負荷装置の一つ以上の設定点の公称値を更新値に置換するためのコマンドと、を含み、
上記解除信号は、調整されたエネルギー負荷装置の更新された一つ以上の設定点の値を上記公称値へ復帰させるためのコマンドを含むことを特徴とする請求項１に記載の装置。
【請求項５】
上記制御信号は、一つ以上の設定点の更新情報と、調整されたエネルギー負荷装置の一つ以上の設定点を更新値に置換するためのコマンドと、を含み、
上記解除信号は、公称値と、調整されたエネルギー負荷装置の更新された一つ以上の設定点の値を、受信した上記公称値に置換するためのコマンドと、を含むことを特徴とする請求項１に記載の装置。
【請求項６】
上記装置は、外部グリッドへ余剰電力を供給するように更に構成され、
上記外部グリッドへの余剰電力の供給は、上記余剰電力を受け取るための上記外部グリッドの容量に基づくものであることを特徴とする請求項１に記載の装置。
【請求項７】
一つ以上のエネルギー負荷装置を有するシステムにおけるエネルギー管理装置であって、
上記装置は、上記システムが余剰電力を有しているかを判定するように、および、上記システムにより発生した余剰電力を受け取るために外部グリッドの容量を判定するように更に構成されていることを特徴とする請求項６に記載の装置。
【請求項８】
上記装置は、余剰電力を受け取るために判定された容量を有する外部グリッドへ配給するように更に構成されていることを特徴とする請求項７に記載の装置。
【請求項９】
一つ以上のエネルギー負荷装置を有するシステムにおけるエネルギー管理方法であって、
上記システムが複数のエネルギー負荷装置を含む場合、当該複数のエネルギー負荷装置の中でのエネルギー負荷装置の優先度を設定する設定工程と、
上記システムへのエネルギー供給レベルを判定する供給レベル判定工程と、
一つ以上のエネルギー負荷装置に基づいた総エネルギー消費レベルを判定する消費レベル判定工程と、
上記エネルギー供給レベルが計測されたエネルギー消費レベルより大きい場合、制御信号を介して未だ連系されていない最も優先度の高いエネルギー負荷装置を連系する連系工程と、
上記エネルギー供給レベルが計測されたエネルギー消費レベルより小さい場合、解除信号を介して未だ連系が解除されていない最も優先度の低いエネルギー負荷装置の連系を解除する連系解除工程と、を含み、
上記制御信号は、設定点の無効と設定点の変更との少なくとも一方を実施し、
上記解除信号は、無効の破棄と元の設定点への復帰との少なくとも一方を実施することを特徴とするエネルギー管理方法。
【発明の詳細な説明】
【技術分野】
【０００１】
各実施形態は、順応性があるローカルエネルギー貯蔵容量に関するシステムおよび装置、並びにその方法に関連するものである。
【背景技術】
【０００２】
エネルギー消費装置は、通常の範囲内のある計測可能な条件を維持するために、一般にエネルギーを消費する。例えば、冷蔵庫は、低・高温設定点間で内部温度を維持するためにその圧縮機を循環させる。同様に、調整された装置は、エアコン、冷凍庫、空調システム、および、温水器を含む。家庭用太陽光パネルおよび風力発電システムは、負荷を吸収するために、それらの個々の対象電気システムの容量を超える場合、発生したエネルギーを廃棄しうる。停電により対象電力グリッドが接続されていない場合、家庭でグリッドを利用しない場合、または、発電経路において電気部品の容量が超過する場合に、この廃棄は起こる。
【０００３】
従来技術のそのような問題は、以下の電気技術情報「homepower magazine, Dump Load in Wind Electricity Basics, [オンライン], Home Power Inc., 検索日：2011年5月19日, インターネット (URL: http://homepower.com/basics/wind/)」に記載されている。
【発明の概要】
【０００４】
典型的な実施形態は、システム、装置および方法を含む。例えば、エネルギー管理のための装置の実施形態は、中央処理装置（ＣＰＵ）とメモリとを備えることができ、上記ＣＰＵは、（ａ）制御信号を介して未だ連系されていない最も優先度の高いエネルギー負荷装置を連系するように、および、（ｂ）解除信号を介して未だ連系が解除されていない最も優先度の低いエネルギー負荷装置の連系を解除するように構成されている。上記制御信号は、エネルギー供給レベルが計測されたエネルギー消費レベルより大きい場合、設定点の無効と設定点の変更との少なくとも一方を実施し、上記解除信号は、エネルギー供給レベルが計測されたエネルギー消費レベルより小さい場合、無効の破棄と元の設定点への復帰との少なくとも一方を実施する。典型的な装置の上記制御信号は、調整されたエネルギー負荷装置の設定点を無効にするためのコマンドを含み、上記解除信号は、無効にされた設定点を有する調整されたエネルギー負荷装置の設定点を復帰させるためのコマンドを含んでもよい。典型的な装置の上記制御信号は、調整されたエネルギー負荷装置の一つ以上の設定点を、公称値から当該調整されたエネルギー負荷装置で保存されたプリセット値へシフトさせるためのコマンドを含み、上記解除信号は、調整されたエネルギー負荷装置のシフトされた一つ以上の設定点を上記公称値へ復帰させるためのコマンドを含んでもよい。いくつかの実施形態において、典型的な装置の上記制御信号は、一つ以上の設定点の更新情報と、調整されたエネルギー負荷装置の一つ以上の設定点の公称値を更新値に置換するためのコマンドと、を含み、上記解除信号は、調整されたエネルギー負荷装置の更新された一つ以上の設定点の値を上記公称値へ復帰させるためのコマンドを含んでもよい。他の実施形態において、典型的な装置の上記制御信号は、一つ以上の設定点の更新情報と、調整されたエネルギー負荷装置の一つ以上の設定点を更新値に置換するためのコマンドと、を含み、上記解除信号は、公称値と、調整されたエネルギー負荷装置の更新された一つ以上の設定点の値を、受信した上記公称値に置換するためのコマンドと、を含んでもよい。他の実施形態において、典型的な上記装置は、外部グリッドへ余剰電力を供給するように更に構成され、上記外部グリッドへの余剰電力の供給は、上記余剰電力を受け取るための上記外部グリッドの容量に基づいてもよい。
【０００５】
一つ以上のエネルギー負荷装置を有するシステムにおけるエネルギー管理方法の実施形態であって、（ａ）上記システムが複数のエネルギー負荷装置を含む場合、当該複数のエネルギー負荷装置の中でのエネルギー負荷装置の優先度を設定する設定工程と、（ｂ）上記システムへのエネルギー供給レベルを判定する供給レベル判定工程と、（ｃ）一つ以上のエネルギー負荷装置に基づいた総エネルギー消費レベルを判定する消費レベル判定工程と、（ｄ）上記エネルギー供給レベルが計測されたエネルギー消費レベルより大きい場合、制御信号を介して未だ連系されていない最も優先度の高いエネルギー負荷装置を連系する連系工程と、（ｅ）上記エネルギー供給レベルが計測されたエネルギー消費レベルより小さい場合、解除信号を介して未だ連系が解除されていない最も優先度の低いエネルギー負荷装置の連系を解除する連系解除工程と、を含むことができる。上記制御信号は、設定点の無効と設定点の変更との少なくとも一方を実施し、上記解除信号は、無効の破棄と元の設定点への復帰との少なくとも一方を実施する。上記連系工程は、調整されたエネルギー負荷装置の設定点を無効にするためのコマンドを含む制御信号を介してもよく、上記連系解除工程は、無効にされた設定点を有する調整エネルギー負荷装置の設定点を復帰させるためのコマンドを含む解除信号を介してもよい。上記連系工程は、調整されたエネルギー負荷装置の一つ以上の設定点を、公称値から当該調整されたエネルギー負荷装置で保存されたプリセット値へシフトさせるためのコマンドを含む制御信号を介してもよく、上記連系解除工程は、調整されたエネルギー負荷装置のシフトされた一つ以上の設定点を上記公称値へ復帰させるためのコマンドを含む解除信号を介してもよい。いくつかの実施形態において、上記連系工程は、一つ以上の設定点の更新情報と、調整されたエネルギー負荷装置の一つ以上の設定点の公称値を更新値に置換するためのコマンドとを含む制御信号を介してもよく、上記連系解除工程は、調整されたエネルギー負荷装置の更新された一つ以上の設定点の値を上記公称値へ復帰させるためのコマンドを含む解除信号を介してもよい。他の実施形態において、上記連系工程は、一つ以上の設定点の更新情報と、調整されたエネルギー負荷装置の一つ以上の設定点を更新値に置換するためのコマンドとを含む制御信号を介してもよく、上記連系解除工程は、公称値と、調整されたエネルギー負荷装置の更新された一つ以上の設定点の値を、受信した上記公称値に置換するためのコマンドとを含む解除信号を介してもよい。他の実施形態において、エネルギー管理方法は、更に、（ａ）上記システムが余剰電力を有しているかを判定する工程と、（ｂ）上記システムにより発生した余剰電力を受け取るために外部グリッドの容量を判定する工程とを含む。他の実施形態において、エネルギー管理方法では、余剰電力を受け取るために判定された容量を有する外部グリッドへ電力が配給される。
【０００６】
実施形態は例として描かれており、添付の図面に制限されない。
【図面の簡単な説明】
【０００７】
【図１】典型的なシステムの実施形態の機能ブロック図である。
【図２】典型的なシステムコントローラの機能ブロック図である。
【図３】上記システムコントローラの典型的な処理を示すフローチャートである。
【図４】典型的なシステムの他の実施形態の機能ブロック図である。
【図５】ローカル装置のサブシステムコントローラの典型的な処理を示すフローチャートである。
【図６】典型的なシステムの他の実施形態の機能ブロック図である。
【発明を実施するための形態】
【０００８】
本発明は、従来の問題を解決するためになされている。従来の問題とは、システム内の余剰電力を最も効果的に使用することができないことである。例えば、外部グリッドとの接続状態、および／または、エネルギー供給レベルと計測されたエネルギー消費レベルとの間の大小関係に従ってエネルギー負荷装置を連系する／連系を解除することによる外部グリッドのオン／オフ状態、に関わらず、上記の使用ができない。
【０００９】
エネルギー管理システムは、システム内のエネルギー発生装置およびシステム内のエネルギー消費装置の出力を監視する。エネルギー発生がそのエネルギーを吸収するためのシステムの容量を超えることをエネルギー管理システムが検出する場合、エネルギー管理システムは、余剰エネルギーを吸収するために、それぞれの調整されたサイクルを超えて連系されうるシステム内のエネルギー負荷装置（例えば家庭における電気器具）を確認する。エネルギー負荷装置は、このエネルギーを使用できるときの効率、吸収できるエネルギー量、および、ユーザの好みに基づいて評価され、優先順位付けされうる。
【００１０】
その後エネルギー管理システムは、エネルギー供給と一致するように負荷を連系でき、システム内の未だ連系されていないエネルギー負荷装置の優先順位付けされたランキングに基づいて負荷を連系できる。エネルギー負荷装置の通常の運転限度は、最大エネルギー効率に対して設定され、負荷装置の最大運転限度は、安全性およびユーザの許容に対して設定されうる。その結果、この例外的な状態が必要とされない等、電力発生と電力消費との間の差異が公称範囲内に戻る場合、この余剰エネルギーを吸収する電気器具は、それぞれ次のサイクル上の遅れによって、このエネルギーを利用しうる。次のサイクル上の遅れは、通常の設定点または公称の設定点の再適用で延長されうる。
【００１１】
調整されたローカルエネルギー負荷装置の例としては、供給する温水を予め熱する温水器、生活空間を予め冷却するエアコン、充電効率がより低い状態で充電するバッテリーストレージシステム、食糧を予め冷却するが冷凍までは冷却しない食糧冷蔵システム、および、食糧を極度に冷却する食糧冷凍庫が含まれる。
【００１２】
図１は、典型的なシステム１００の実施形態の機能ブロック図であり、電源１１０は、第１ローカル装置１３０および第２ローカル装置１３１に電力を供給する。電源１１０は、ローカル電源１１１および／または一般の電気グリッド１１２を備えうる。システムコントローラ１２０は、例えば電力スイッチＳ１およびＳ２を介して、電源１１１、１１２のどちらかから電力を導きうる。システムコントローラ１２０は、ローカル電源１１１のローカル電力発生レベルおよびローカル装置１３０、１３１の電力消費レベルを監視するように構成される。発生および消費レベルに基づき、システムコントローラ１２０は、第１電力スイッチＳ１を閉じる、または、第２電力スイッチＳ２を閉じることをもたらしうる。ローカル電源１１１が、ローカル装置１３０、１３１により消費および貯蔵されうる以上の電力を発生している場合、システムコントローラ１２０は、第３電力スイッチＳ３を閉じることをもたらしうる。そして、それにより、ローカル電源１１１により発生される電力の少なくとも一部は、グリッド１１２に向けられる。言い換えると、システムコントローラ１２０は、余剰電力を外部グリッドへ供給するために更に構成されている。そして、外部グリッドへ余剰電力を供給することは、余剰電力を受け取ることができる外部グリッドの容量に基づいている。典型的な電力スイッチＳ１、Ｓ２およびＳ３の他の実施形態は、エネルギーの流れの方向で管理するための電力制御電気回路を含んでもよい。第１ローカル装置１３０は、サブシステムコントローラ１４０および電力消費素子１５０を含むものとして描かれている。電力消費素子１５０は、対象主要部１３２のエネルギー状態における変化をもたらすものとして描かれている。対象主要部１３２のエネルギー状態は、サブシステムコントローラ１４０により監視されるものとして描かれている。第２ローカル装置１３１は、サブシステムコントローラ１６０およびバッテリー充電回路１７０を含むものとして描かれている。バッテリー充電回路１７０は、バッテリー１３３のエネルギー状態における変化をもたらすものとして描かれている。バッテリー１３３のエネルギー状態は、第２ローカル装置１３１のサブシステムコントローラ１６０により監視されるように描かれている。
【００１３】
図２は、データバス２２８経由でアドレス可能な、プロセッサ２２４およびメモリ２２７を有する典型的なシステムコントローラ２２０の機能ブロック図である。一つ以上のローカル装置は、ユーザインターフェース２２９、電源インターフェース２２１およびインターフェース２２６により、データバス２２８経由でプロセッサ２２４と通信できる。プロセッサ２２４は、リアルタイムオペレーティングシステム２２５経由でプログラムされたステップを実行するよう構成されうる。ここで、アプリケーション２２２を構成するステップは、得られるまたは推定されるエネルギー消費および／またはエネルギー生成の入力を含む。比較は、負荷能力と、負荷素子の連系または連系の解除の優先度でなされる。また、コマンドおよび／または値は、エネルギー管理のためにローカル装置へ送信される。
【００１４】
例えば、図３は、システムコントローラ３００の典型的な処理を示すフローチャートである。システムコントローラは、一組の一つ以上のエネルギー負荷の優先度を供給または予めロードしうる。従って、システムコントローラは、システムの負荷装置と関連づけた一つ以上のエネルギー負荷の優先度を入力しうる（ステップ３１０）。システムコントローラは、エネルギー供給レベル（ＥＳＬ）、すなわちシステムコントローラの制御の下での負荷装置で利用可能な発生エネルギーの現在のレベルを入力するもの（ステップ３２０）として図３に描かれている。システムコントローラはまた、個別の、または組み合わせられたエネルギー散逸レベル（ＥＤＬ）、すなわち一つ以上のアクティブなエネルギー負荷により組み合わせられたエネルギー消費レベルを任意に入力するもの（ステップ３３０）、または、推測するものとして描かれている。許容誤差εは、次の典型的なスイッチングロジックに対してヒステリシス効果をもたらすために参照されうる。システムコントローラは、許容値ε分小さいＥＳＬがＥＤＬより大きいかを検証しうる（ステップ３４０）。許容値ε分小さいＥＳＬがＥＤＬより大きければ、システムコントローラは、未だ連系されていない最も優先度の高い負荷であるエネルギー負荷の連系をもたらすコマンドを出力しうる。つまり、エネルギー負荷の優先度の組に従う（ステップ３５０）。許容値ε分小さいＥＳＬがＥＤＬより大きくなければ、システムコントローラは、許容値ε分小さいＥＳＬがＥＤＬ以下か検証しうる（ステップ３６０）。許容値ε分小さいＥＳＬがＥＤＬ以下であれば、システムコントローラは、エネルギー負荷の優先度の組に従って、未だ連系が解除されていない最も優先度の低いエネルギー負荷である負荷の連系の解除をもたらすコマンドを出力しうる（ステップ３７０）。
【００１５】
言い換えると、図３の処理、特にステップ３４０から３７０は、システムが複数のエネルギー負荷装置を含む場合、複数のエネルギー負荷装置の中でのエネルギー負荷装置の優先度を設定する設定工程と、システムへのエネルギー供給レベルを判定する判定工程と、一つ以上のエネルギー負荷装置に基づいた総エネルギー消費レベルを判定する判定工程とを含む。
【００１６】
図４は、典型的なシステム４００の実施形態の機能ブロック図であり、電源４１０、システムコントローラ４２０、ローカル装置４３０、対象主要部４３２および温度センサ４９０を含む。ローカルエネルギー負荷装置４３０は、サブシステムコントローラ４４０および冷却ユニット４５０を含むものとして描かれている。システムコントローラは、電源４１０のエネルギー供給レベル（ＥＳＬ）４１１と、ローカル装置４３０により電源４１０から引き込まれているエネルギー散逸レベル（ＥＤＬ）４１２とを入力するものとして描かれている。冷却ユニット４５０は、対象主要部４３２のエネルギー状態の変化をもたらす。また、対象主要部４３２の温度は、温度センサ４９０により計測されるものとして描かれている。温度センサの出力は、システムコントローラ４４０、システムコントローラ４２０、またはその両方に供給されうる。システムコントローラ４２０は、冷却ユニット４５０の連系または連系の解除をもたらすために、システムコントローラ４４０のローカルロジックを無効にするコマンドを生成しうる。システムコントローラ４４０はコントローラロジック４４１を有しうる。そして、システムコントローラ４２０は、コントローラロジック４４１において温度設定４４２をシフトするコマンドを生成しうる。例えば、エネルギー供給レベル（ＥＳＬ）４１１とエネルギー散逸レベル（ＥＤＬ）４１２との差を基に、対象主要部４３２が発生エネルギーの余剰分を活用するために過度に冷却されるべきだとシステムコントローラ４２０が判定すると、システムコントローラ４２０は、新たな温度設定４４２、例えばＴ’ｏｆｆおよびＴ’ｏｎを送信しうる。システムコントローラ４２０は、温度設定４４２を、温度設定４４２の保存された組へ、例えばＴｏｆｆからＴ’ｏｆｆへ、およびＴｏｎからＴ’ｏｎへシフトするための信号を任意に送信しうる。同様に、エネルギー供給レベル（ＥＳＬ）４１１とエネルギー散逸レベル（ＥＤＬ）４１２との差を基に、対象主要部が初期設定へ戻されるべきだとシステムコントローラ４２０が判定すると、システムコントローラ４２０は、温度設定４４２をリセットする、例えばＴ’ｏｆｆからＴｏｆｆへ、およびＴ’ｏｎからＴｏｎへとリセットするためのリセット信号を送信しうる。
【００１７】
例えば、図５は、ローカル装置のサブシステムコントローラの典型的な処理を示すフローチャートである。サブシステムコントローラは、連系無効信号を受信しているかを判定しうる（ステップ５１０）。受信していれば、サブシステムコントローラは、連系信号に含まれた情報に基づいて、負荷を連系するか、または連系を解除する（ステップ５２０）。サブシステムコントローラは、設定点シフトコマンドを受信しているかを判定しうる（ステップ５３０）。受信していれば、サブシステムコントローラは、設定点シフトコマンド信号に含まれた情報に基づいて、一つ以上の設定点をシフトする（ステップ５４０）。システムコントローラは、一つ以上の設定点のための更新信号を受信しているかを判定する（ステップ５５０）。受信していれば、サブシステムコントローラは、設定点更新信号に含まれた情報に基づいて、受信した一つ以上の設定点更新を置換する（ステップ５６０）。
【００１８】
図６は、典型的なシステム６００の実施形態の機能ブロック図であり、電源６１０と、システムコントローラ６２０と、ローカルエネルギー負荷装置６３０と、化学バッテリー６４３または化学バッテリーアレイとを含む。化学バッテリーの代わりまたは化学バッテリーに加えて、動的（例えばフライホイール）システムおよび／または空気圧（例えば圧力交換）システム等、他のエネルギー貯蔵装置が利用されうる。ローカルエネルギー負荷装置６３０は、サブシステムコントローラ６６０および充電回路６７０を含むものとして描かれている。システムコントローラは、電源６１０のエネルギー供給レベル（ＥＳＬ）６１１と、ローカル装置６３０により電源６１０から引き込まれているエネルギー散逸レベル（ＥＤＬ）６１２とを入力するものとして描かれている。ＥＤＬ６１２は、任意に推定されうる。または、各エネルギー負荷装置のための公称値は、ＥＤＬ６１２としての組み合わせに対して参照されうる。充電回路６７０は、化学バッテリー６４３のエネルギー状態の変化をもたらす。また、化学バッテリー６４３の温度は、温度センサ６７５により計測されるものとして描かれている。温度センサ６７５の出力は、サブシステムコントローラ６６０、システムコントローラ６２０、またはその両方に供給されうる。システムコントローラ６２０は、充電回路６７０の連系または連系の解除をもたらすために、サブシステムコントローラ６６０のローカルロジックを無効にするコマンドを生成しうる。サブシステムコントローラ６６０は、システムコントローラ６２０によりプリセットまたは上書きされうる調整器設定点６６１と、第１電流参照値６６３のＩｒｅｆと、第２電流参照値６６４のＩ’ｒｅｆと、システムコントローラ６２０からのコマンド信号を介して設定されうる論理スイッチ６６２とを含みうる。サブシステムコントローラ６６０はまた、第１電圧参照値６６５のＶｒｅｆと、第２電圧参照値６６７のＶ’ｒｅｆと、システムコントローラ６２０からコマンド信号を介して設定されうる第２論理スイッチ６６６とを含みうる。例えば、エネルギー供給レベル（ＥＳＬ）６１１とエネルギー散逸レベル（ＥＤＬ）６１２との差を基に、利用可能なエネルギーの余剰分を活用するためにバッテリーが充電されるべきであるとシステムコントローラ６２０が判定すると、システムコントローラ６２０は、新たな調整器設定点の値および／または信号を送信しうる。それにより、第２電流参照値６６４のＩ’ｒｅｆへの切り換えをもたらす、および／または、第２電圧参照値６６７のＶ’ｒｅｆへの切り換えをもたらす。システムコントローラ６２０は、電流参照値Ｉｒｅｆおよび／または電圧参照値Ｖｒｅｆに対して置換した値を任意に送信しうる。同様に、システムコントローラ６２０は、調整器設定点６６１をプリセット値へシフトするための信号を任意に送信しうる。充電回路６７０は、調整器６７１と、電流参照値に基づいた電流コントローラ６７２と、電圧参照値に基づいた電圧コントローラ６７４、温度センサ６７５を含みうる充電回路６７０とを含むものとして描かれている。
【００１９】
本明細書を通して、装置へのあらゆる通信を表すために用語「信号」が用いられる。「コマンド」は、特に動きを要求する一種の信号である。「更新」もまた、一種の信号であり、情報または状態を変える。「制御信号」は装置の変化状態を作るための信号である。「解除信号」は、装置を通常の状態へと戻す信号である。
【００２０】
言い換えると、いくつかの実施形態において、上記制御信号は、調整されたエネルギー負荷装置の設定点を無効にするためのコマンドを含み、上記解除信号は、無効にされた設定点を有する調整されたエネルギー負荷装置の設定点を復帰させるためのコマンドを含んでもよい。
【００２１】
同様に、いくつかの実施形態において、上記制御信号は、調整されたエネルギー負荷装置の一つ以上の設定点を、公称値から当該調整されたエネルギー負荷装置で保存されたプリセット値へシフトさせるためのコマンドを含み、上記解除信号は、調整されたエネルギー負荷装置のシフトされた一つ以上の設定点を上記公称値へ復帰させるためのコマンドを含んでもよい。
【００２２】
同様に、いくつかの実施形態において、上記制御信号は、一つ以上の設定点の更新情報と、調整されたエネルギー負荷装置の一つ以上の設定点の公称値を更新値に置換するためのコマンドと、を含み、上記解除信号は、調整されたエネルギー負荷装置の更新された一つ以上の設定点の値を上記公称値へ復帰させるためのコマンドを含んでもよい。
【００２３】
同様に、いくつかの実施形態において、上記制御信号は、一つ以上の設定点の更新情報と、調整されたエネルギー負荷装置の一つ以上の設定点を更新値に置換するためのコマンドと、を含み、上記解除信号は、公称値と、調整されたエネルギー負荷装置の更新された一つ以上の設定点の値を、受信した上記公称値に置換するためのコマンドと、を含んでもよい。
【００２４】
いくつかの実施形態において、上記方法は、調整されたエネルギー負荷装置の設定点を無効にするためのコマンドを含む制御信号を介する連系工程と、無効にした設定点を有する調整されたエネルギー負荷装置の設定点を復帰させるためのコマンドを含む解除信号を介する連系解除工程とを含む。
【００２５】
いくつかの実施形態において、上記方法は、調整されたエネルギー負荷装置の一つ以上の設定点を、公称値から当該調整されたエネルギー負荷装置で保存されたプリセット値へシフトさせるためのコマンドを含む制御信号を介する連系工程と、調整されたエネルギー負荷装置のシフトされた一つ以上の設定点を上記公称値へ復帰させるためのコマンドを含む解除信号を介する連系解除工程とを含む。いくつかの実施形態において、上記方法は、一つ以上の設定点の更新情報と、調整されたエネルギー負荷装置の一つ以上の設定点の公称値を更新値に置換するためのコマンドとを含む制御信号を介する連系工程と、調整されたエネルギー負荷装置の更新された一つ以上の設定点の値を公称値へ復帰させるためのコマンドを含む解除信号を介する連系解除工程とを含む。
【００２６】
いくつかの実施形態において、上記方法は、一つ以上の設定点の更新情報と、調整されたエネルギー負荷装置の一つ以上の設定点を更新値に置換するためのコマンドとを含む制御信号を介する連系工程と、公称値と、調整されたエネルギー負荷装置の更新された一つ以上の設定点の値を、受信した上記公称値に置換するためのコマンドとを含む解除信号を経由する連系解除工程とを含む。
【００２７】
いくつかの実施形態において、上記方法は、システムが余剰電力を有するかを判定する工程と、システムにより発生した余剰電力を受け取るために外部グリッドの容量を判定する工程とを更に含む。
【００２８】
いくつかの実施形態において、上記方法は、余剰電力を受け取るために判定された容量を有する外部グリッドへ配給する工程を更に含む。
【００２９】
上記実施形態の特定の特徴および側面の様々な結合および／または小結合が作られることができ、そしてなお、本発明の範囲に含まれうることは、意図される。従って、開示された発明の変化モードを形成するために、開示された実施形態の様々な特徴および側面は、互いに組み合わせたり、代用したりできることが理解されるべきである。更に、例としてここに開示された本発明の範囲は、上述の特定の開示された実施形態により制限されるべきではないことが意図される。
【図１】
2012005342.tif 000003
【図２】
2012005342.tif 000004
【図３】
2012005342.tif 000005
【図４】
2012005342.tif 000006
【図５】
2012005342.tif 000007
【図６】
2012005342.tif 000008
【外国語明細書】
2012005342000001.pdf